(57)【要約】【課題】抗体のグリコシル化の測定方法の提供。【解決手段】本発明は、細胞表面に存在するＦｃ受容体と抗体との結合を検出する方法、及び、抗体のグリコシル化の程度を測定する方法に関する。また、本発明は上記方法を行うための試薬キットにも関する。【選択図】なし【特許請求の範囲】
【請求項１】
測定媒体中の細胞膜又は無傷細胞で発現されるＦｃ受容体と抗体との結合を測定するインビトロ方法であって、
（ｉ）前記Ｆｃ受容体をＦＲＥＴパートナー対の第一メンバーで直接標識若しくは間接標識する工程、又は、ＦＲＥＴパートナー対の第一メンバーで事前に直接標識したＦｃ受容体を有する細胞膜若しくは無傷細胞を前記媒体中に導入する工程と、
（ｉｉ）前記ＦＲＥＴパートナー対の第二メンバーで直接標識又は間接標識した前記抗体を前記測定媒体に添加する工程と、
（ｉｉｉ）存在することにより前記Ｆｃ受容体と前記抗体との結合を表すＦＲＥＴシグナルを測定する工程とを含む方法。
【請求項２】
抗体濃度を変更して前記方法を繰り返すこと、及び、
さらに、（ｉｖ）前記抗体−Ｆｃ受容体結合の解離定数を測定する工程を含むことを特徴とする請求項１記載の方法。
【請求項３】
参照抗体と競合させることによって、測定媒体中の細胞膜又は無傷細胞で発現されるＦｃ受容体と競合抗体との結合を測定するインビトロ方法であって、
（ｉ）前記Ｆｃ受容体をＦＲＥＴパートナー対の第一メンバーで直接標識若しくは間接標識する工程、又は、ＦＲＥＴパートナー対の第一メンバーで事前に直接標識したＦｃ受容体を有する細胞膜若しくは無傷細胞を前記媒体中に導入する工程と、
（ｉｉ）前記競合抗体を前記測定媒体に添加する工程と、
（ｉｉｉ）前記ＦＲＥＴパートナー対の第二メンバーで直接標識又は間接標識した参照抗体を前記測定媒体に添加する工程と、
（ｉｖ）ＦＲＥＴシグナルを測定する工程とを含み、前記競合抗体の存在下で測定した前記シグナルがその非存在下で測定した場合と比べて減少すれば、その抗体と前記Ｆｃ受容体との結合が表される、方法。
【請求項４】
工程（ｉｉ）は前記競合抗体の量を変更して再現するが、工程（ｉｉｉ）で添加する前記参照抗体の量は固定すること、及び、
さらに、（ｖ）前記競合抗体のＥＣ５０を測定し、前記参照抗体のＥＣ５０と比較する工程を含むことを特徴とする請求項３記載の方法。
【請求項５】
前記参照抗体と前記競合抗体は、特に、前記競合抗体が、そのＦｃフラグメントのグリコシル化の程度を変えるための方法で得られたもの、又は、そのＦｃフラグメントのグリコシル化の程度を変えるための処理を施されたものであるという点で異なることを特徴とする請求項３又は４記載の方法。
【請求項６】
前記参照抗体と前記試験抗体は、特に、前記試験抗体が、そのＦｃフラグメントのフコシル化の程度を変えるための方法で得られたもの、又は、そのＦｃフラグメントのフコシル化の程度を変えるための処理を施されたものであるという点で異なることを特徴とする請求項３又は４記載の方法。
【請求項７】
抗体のグリコシル化の程度を測定する方法であって、
グリコシル化又は脱グリコシル化の程度が既知の複数の競合抗体を工程（ｉｉ）で使用して請求項４記載の方法を行う工程と、その後、
グリコシル化の程度を測定する抗体を工程（ｉｉ）で使用して請求項４記載の方法を行う工程と、
前記試験抗体のＥＣ５０を前記グリコシル化又は脱グリコシル化の程度が既知の複数の競合抗体と比較して前記試験抗体のグリコシル化の程度を測定する工程とを含む方法。
【請求項８】
抗体のフコシル化の程度を測定する方法であって、
フコシル化又は脱フコシル化の程度が既知の複数の競合抗体を工程（ｉｉ）で使用して請求項４記載の方法を行う工程と、その後、
フコシル化又は脱フコシル化の程度を測定する抗体を工程（ｉｉ）で使用して請求項４記載の方法を行う工程と、
前記試験抗体のＥＣ５０を前記フコシル化又は脱フコシル化の程度が既知の複数の競合抗体と比較して前記試験抗体のフコシル化の程度を測定する工程とを含む方法。
【請求項９】
前記Ｆｃ受容体はＦｃγ受容体であることを特徴とする請求項１〜８のいずれか１項記載の方法。
【請求項１０】
前記Ｆｃ受容体はＣＤ１６ａ受容体又はその変異体であることを特徴とする請求項１〜９のいずれか１項記載の方法。
【請求項１１】
前記Ｆｃ受容体は自殺酵素によって直接標識されること、すなわち、前記Ｆｃ受容体と前記自殺酵素とを含む融合タンパク質の形態で前記Ｆｃ受容体は発現されること、及び、前記ＦＲＥＴパートナーの一方と結合した前記酵素の基質を前記測定媒体に添加することによって前記標識が行われることを特徴とする請求項１〜１０のいずれか１項記載の方法。
【請求項１２】
前記自殺酵素は、Ｏ６−アルキルグアニンＤＮＡアルキルトランスフェラーゼ変異体、デハロゲナーゼ変異体、及び、アシルキャリアタンパク質フラグメントから選択されることを特徴とする請求項１１記載の方法。
【請求項１３】
無傷細胞を使用して行われることを特徴とする請求項１〜１２のいずれか１項記載の方法。
【請求項１４】
Ｆｃ受容体をコードするＤＮＡ配列と、自殺酵素をコードするＤＮＡ配列とを含むことを特徴とする発現ベクター。
【請求項１５】
前記自殺酵素は、デハロゲナーゼ変異体、アシルキャリアタンパク質フラグメント、及び、Ｏ６−アルキルグアニンＤＮＡアルキルトランスフェラーゼ変異体から選択されることを特徴とする請求項１４記載の発現ベクター。
【請求項１６】
前記Ｆｃ受容体はＣＤ１６ａ受容体であることを特徴とする請求項１４又は１５記載の発現ベクター。
【請求項１７】
請求項１４〜１６のいずれか１項記載の発現ベクターを含むことを特徴とする哺乳類細胞。
【請求項１８】
ＦＲＥＴパートナー対の一方のメンバーと結合した前記自殺酵素の基質の存在下で培養され、その処理によって、発現されるＦｃ受容体が前記ＦＲＥＴパートナー対の前記一方のメンバーで標識されることを特徴とする請求項１７記載の細胞。
【請求項１９】
凍結状態であることを特徴とする請求項１７又は１８記載の細胞。
【請求項２０】
請求項１〜１３のいずれか１項記載の方法を行うための試薬キットであって、請求項１４〜１６のいずれか１項記載の発現ベクター、又は、請求項１７〜１９のいずれか１項記載の細胞と、ＦＲＥＴパートナー対の少なくとも一方のメンバーとを含むことを特徴とする試薬キット。
【発明の詳細な説明】
【技術分野】
【０００１】
本発明は、細胞表面に存在する結晶性Ｆｃフラグメント（以下、「Ｆｃ受容体」又はＦｃＲ）の受容体と抗体との結合を検出する方法、及び、抗体のグリコシル化の程度を測定する方法に関する。
【背景技術】
【０００２】
ここ数年間、組み換えモノクロナール抗体によって治療革命が起こっている。これら抗体の臨床効果はもはや証明を必要としないものであるが、これらの患者又は患畜における作用態度については未だにほとんど知られていない。膜抗原を標的とした抗体の治療効果には、特に抗体の結晶性フラグメントの受容体（以下「Ｆｃ受容体」）を発現するエフェクター細胞の補充が関係している。
【０００３】
Ｆｃ受容体は、免疫系、特にＮＫ（「ナチュラルキラー」）細胞、マクロファージ、好中球及びマスト細胞の機能に寄与する特定細胞の表面に存在するタンパク質である。その名は、抗体のＦｃ（結晶性フラグメント）領域への結合能に由来する。Ｆｃ受容体には幾つかの種類があり、認識する抗体の種類に応じて以下のように分類される。Ｆｃγ受容体（ＦｃγＲ）はＩｇＧに結合し、Ｆｃα受容体（ＦｃαＲ）はＩｇＡに結合し、Ｆｃε受容体（ＦｃεＲ）はＩｇＥに結合する。
【０００４】
抗体とＦｃ受容体との結合は、この受容体が発現される細胞の性質により異なる様々なメカニズムの引き金となる。表１は、各種Ｆｃ受容体の細胞分布、及び、抗体と上記受容体との結合が引き金となるメカニズムの概要である。
【０００５】
【表１】
2014527179.tif 000002
【０００６】
抗体とＦｃ受容体との結合に関連したメカニズムの重要さを考慮すれば、上記受容体が細胞状況下にある場合、特に診断又は治療のために抗体又はＦｃフラグメントを開発する状況ではその結合を検出できることは特に有利であろう。
【０００７】
ＡＤＣＣメカニズムの引き金となる治療抗体は現在市販されており（ハーセプチン（Ｒ）、セツキシマブ（Ｒ））、以下のように特定のガンの治療に適応される。上記抗体のＦｃフラグメントはＮＫ細胞上に存在するＦｃ受容体に結合し、上記抗体の可変領域は腫瘍細胞上に存在する抗原を認識する（ハーセプチン：Ｈｅｒ２、セツキシマブ：Ｈｅｒ１）。上記抗体がＮＫ細胞及びガン細胞に同時に結合すると、特にＡＤＣＣメカニズムが活性化されてガン細胞が破壊されることとなる。
【０００８】
また、抗体のＦｃフラグメントのグリコシル化が、そのＦｃＲ抗体の親和性に影響を与え、結果としてそのエフェクター細胞補充能に影響を及ぼすことが知られている。特に、ＦｃフラグメントのＮグリカン基の位置にほとんど又は全くフコース残基を有していない修飾された治療抗体は、低濃度で強いＡＤＣＣ反応を引き起こし、その対応するフコシル化物と比較してはるかに良好な効力を示す（非特許文献１及び２）。これらの研究では、ＦｃＲと抗体との結合はＥＬＩＳＡ型アッセイ（“ｅｎｚｙｍｅ−ｌｉｎｋｅｄ  ｉｍｍｕｎｏｓｏｒｂｅｎｔ  ａｓｓａｙ（酵素結合免疫吸着法）”の頭字語）又は機能的にＡＤＣＣ反応測定によって測定されている。
【０００９】
一般に、無傷細胞により発現されるＦｃ受容体と治療抗体候補との結合を検出する方法があれば、治療抗体を開発するための、又は、Ｆｃ受容体により媒介される免疫系メカニズムを研究するための有用な道具となろう。Ｆｃ受容体と抗体との結合を研究するのに現在利用できる技術は比較的時間のかかる面倒なものである。
【００１０】
商品名Ｂｉａｃｏｒｅ（Ｒ）として市販されているシステムによって、２つの結合パートナー間の相互作用を検出することができる。このシステムは表面プラズモン共鳴現象を利用している。このシステムは、抗体のＦｃフラグメントのグリコシル化がそのＦｃγＲＩＩＩ受容体との結合に対して及ぼす効果を研究するために用いられている。このシステムでは、Ｆｃ受容体、又は、試験される抗体のＦｃ領域のフラグメントをマイクロチップへ固定する必要があり、その表面での屈折率に依存するシグナルを生成することができる（非特許文献３）。この手法にはいくつか欠点があり、特に、マイクロチップの表面に結合パートナーの一方を固定する工程が必須であること、ある程度の専門知識を要する高価な設備が必要であること、及び、研究対象のＦｃ受容体を発現する生細胞とともに上記技術を用いて試験することができないという事実が挙げられる。また、この手法では、試験される抗体とその抗原とがその細胞構造において結合可能かどうかに関する情報が得られない。
【００１１】
特許文献１には、抗体の抗原の存在下でＣＤ１６受容体を発現する細胞と上記抗体を接触させ、上記細胞により産生される少なくとも１つのサイトカインを測定する手法が記載されており、サイトカイン量が増加すれば上記細胞の活性化が表される。この方法では、ＦｃＲと抗体との結合を直接測定することはできない。また、上記細胞により分泌されるサイトカインを検出するために上清を遠心分離する工程が必要である。
【００１２】
特許文献２には、ＦｃＲを発現する細胞に対する抗体のＦｃフラグメントの効果を求める方法であって、上記抗体を固体状支持体に固定する工程と、上記抗体の存在下で上記受容体を発現する細胞を培養する工程と、上記抗体の存在下で上記ＦｃＲの効果を測定する工程とからなる方法が記載されている。この方法では、上記細胞によるサイトカインの産生を検出することによって、ＦｃＲの活性化も間接的に測定する。この方法は、特許文献１で説明されているものと同様の欠点、特に遠心分離工程が必要であるという欠点を有している。
【００１３】
特許文献３には上記手法の変法が開示され、この方法は、事前に凝集させた抗体とＦｃＲを発現する細胞とを接触させる工程からなる。上述の方法と同様に、上記細胞により分泌されるサイトカインを測定することによって上記細胞の活性化が決定される。
【００１４】
Ｃｉｓｂｉｏ  Ｂｉｏａｓｓａｙｓ社により、細胞により発現されるタンパク質を蛍光化合物やＦＲＥＴパートナー蛍光化合物（ＨＴＲＦ（Ｒ））で標識するための商品名Ｔａｇ−ｌｉｔｅ（Ｒ）の製品群が市販されている。エネルギードナー化合物及びアクセプター化合物間のＦＲＥＴ現象はこれら両化合物間の距離に依存するため、細胞状況下の分子間相互作用の研究にＴａｇ−ｌｉｔｅ（Ｒ）製品群を使用することができる。この方法の適用例の１つは、ＦＲＥＴパートナーで標識したタンパク質Ｇ（ＲＣＰＧ）に結合した受容体と、もう１つのＦＲＥＴパートナーで標識したそのリガンドとの相互作用の研究に用いることである。この手法によって、例えば、上記ＲＣＰＧの新規リガンド候補の結合を評価するために競合アッセイを行うことができる。上記製品の別の適用例は、ＦＲＥＴパートナー化合物で標識したＲＣＰＧの二量体化の研究である。
【先行技術文献】
【特許文献】
【００１５】
【特許文献１】仏国特許出願公開第２８４４５２１号明細書
【特許文献２】欧州特許出願公開第１２９８２１９号明細書
【特許文献３】米国特許出願公開第２００９／０１７６２２０号明細書
【非特許文献】
【００１６】
【非特許文献１】Ｓｈｉｅｌｄｓ  ｅｔ  ａｌ．，Ｊ  Ｂｉｏｌ  Ｃｈｅｍ．２００２  Ｊｕｌ  ２６；２７７（３０）：２６７３３−４０
【非特許文献２】Ｓｕｚｕｋｉ  ｅｔ  ａｌ．Ｃｌｉｎ  Ｃａｎｃｅｒ  Ｒｅｓ．２００７  Ｍａｒ  １５；１３（６）：１８７５−８２
【非特許文献３】Ｂｉａｃｏｒｅ  Ｊｏｕｒｎａｌ  Ｎｕｍｂｅｒ  １，２００９，１５−１７
【発明の概要】
【発明が解決しようとする課題】
【００１７】
無傷細胞の表面で発現されるＦｃ受容体と抗体との結合を直接測定する方法は現在存在しない。既存の技術には、上記細胞により分泌されるサイトカインの間接的アッセイ、自動化された用途にやや適さない遠心分離工程、又は、時間のかかる面倒な予備工程を必要とするため比較的長時間かかる手法の使用といった幾つかの欠点がある。また、上記方法では、所定の抗体のグリコシル化の程度やそのＦｃ受容体との結合に対する効果に関する情報を容易かつ迅速に得ることができない。
【課題を解決するための手段】
【００１８】
本発明者らは上記課題を解決する方法を開発した。
【００１９】
本発明は、測定媒体中の細胞膜又は無傷細胞で発現されるＦｃ受容体と抗体との結合を測定するインビトロ方法であって、
（ｉ）上記Ｆｃ受容体をＦＲＥＴパートナー対の第一メンバーで直接標識若しくは間接標識する工程、又は、ＦＲＥＴパートナー対の第一メンバーで事前に直接標識したＦｃ受容体を有する細胞膜若しくは無傷細胞を上記媒体中に導入する工程と、
（ｉｉ）上記ＦＲＥＴパートナー対の第二メンバーで直接標識又は間接標識した上記抗体を上記測定媒体に添加する工程と、
（ｉｉｉ）存在することにより上記Ｆｃ受容体と上記抗体との結合を表すＦＲＥＴシグナルを測定する工程とを含む方法からなる。
【００２０】
この方法は、特に、Ｆｃ受容体−抗体複合体の解離定数を求めるために用いることができる。この場合、抗体濃度を変更して、特に抗体濃度を高めて上記方法を繰り返して、抗体濃度の関数としてＦＲＥＴシグナルの漸進的変化を表す飽和曲線を作成する。この曲線を使用して、Ｆｃ受容体の５０％飽和の抗体濃度に相当する解離定数（「Ｋｄ」）を求めることができる。
【図面の簡単な説明】
【００２１】
【図１】ＳＮＡＰ−ｔａｇ（Ｒ）ｐＴ８−ＳＮＡＰ−ネオマイシンプラスミド（Ｃｉｓｂｉｏ  Ｂｉｏａｓｓａｙｓ）にＣＤ１６ａ受容体（変異体Ｖ１５８（又はＶ１７６）、参照番号Ｇｅｎｂａｎｋ  ＮＭ＿０００５６９．６、タンパク質配列ＮＰ＿０００５６０．５）をコードする核酸配列（配列番号４）を挿入して作製したＳＮＡＰ−ＣＤ１６Ａ  プラスミドのマップを示す。
【図２】ＦｃεＲＩ受容体のγ鎖をコードするＤＮＡ配列（配列番号５）を発現プラスミドに従来の方法で挿入して作製したプラスミドのマップを示す。
【図３】３８４プレートから発せられるＦＲＥＴシグナルを直後に測定し、その後は３０分後、１時間後、２時間３０分後、３時間４０分後、５時間後及び６時間後に測定した結果を示す。
【図４】ＩｇＧ１型抗体ほどはＣＤ１６ａ受容体に対する親和性が良好ではないことが知られているアイソタイプＩｇＧ２、ＩｇＧ３及びＩｇＧ４のヒト抗体（それらのエピトープ特異性は重要ではない）を非標識ＩｇＧ１抗体（競合抗体）の代わりに使用したことを除き、実施例２を再現した結果を示す。
【図５】同じサブクラスの各種抗体：ハーセプチン、ペルツズマブ及びマウス抗ＥＧＦＲ抗体（ＡＴＣＣ５２８）を非標識ＩｇＧ１抗体（競合抗体）の代わりに使用したことを除き、実施例２を再現した結果を示す。
【図６】３８４プレートから発せられるＦＲＥＴシグナルを様々な時間で測定したが、２０時間培養した後の結果を示す。
【図７】フコース残基を除去する処理を施した各種抗体（４％脱フコシル化したＡｂ１、８％脱フコシル化したＡｂ２、５７％脱フコシル化したＡｂ３、１１％脱フコシル化したＡｂ４、８０％脱フコシル化したＡｂ５）を非標識ＩｇＧ１抗体の代わりに使用したことを除き、実施例２を再現した結果を示す。
【発明を実施するための形態】
【００２２】
競合アッセイ形態は本発明の好ましい実施形態を構成する。この実施形態では、本発明は、参照抗体と競合させることによって、測定媒体中の細胞膜又は無傷細胞で発現されるＦｃ受容体と抗体（以下「競合抗体」）との結合を測定するインビトロ方法であって、
（ｉ）上記Ｆｃ受容体をＦＲＥＴパートナー対の第一メンバーで直接標識若しくは間接標識する工程、又は、ＦＲＥＴパートナー対の第一メンバーで事前に直接標識したＦｃ受容体を有する細胞膜若しくは無傷細胞を上記媒体中に導入する工程と、
（ｉｉ）上記競合抗体を上記測定媒体に添加する工程と、
（ｉｉｉ）上記ＦＲＥＴパートナー対の第二メンバーで直接標識又は間接標識した参照抗体を上記測定媒体に添加する工程と、
（ｉｖ）ＦＲＥＴシグナルを測定する工程とを含み、上記競合抗体の存在下で測定した上記シグナルがその非存在下で測定した場合と比べて減少すれば、その抗体と上記Ｆｃ受容体との結合が表される、方法からなる。
【００２３】
工程（ｉ）、（ｉｉ）及び（ｉｉｉ）はこの順番で行うのが好ましいが、各種要素を異なる順番で（例えば（ｉ）、（ｉｉｉ）、（ｉｉ））又は同時に接触させることも可能である。
【００２４】
工程（ｉｖ）は、数分（例えば３、４又は５分間）〜数時間（例えば１〜２０時間）の範囲であってもよい培養時間の経過後に行う。
【００２５】
競合抗体の濃度が既知であれば、この場合、工程（ｉｖ）で得たシグナルを、競合抗体の代わりに非標識の参照抗体を使用して上記方法を行った際に測定されるシグナルと比較することができ、Ｆｃ受容体に対する競合抗体の親和性について結論を出すことができる。特に、同じ濃度では、競合抗体の存在下で測定したＦＲＥＴシグナルが非標識の参照抗体の存在下で測定したシグナルよりも小さければ、競合抗体は参照抗体よりも良好な親和性を有しており、その逆もまたしかりである。非標識の参照抗体は工程（ｉｉｉ）の参照抗体と同じであってもよく、あるいは、競合抗体と比較したい別の抗体であってもよい。
【００２６】
また、上記競合アッセイ法を各種濃度の試験抗体と一定量の参照抗体との存在下で再現した場合、得た結果から競合抗体のＥＣ５０を求めることができる。上記抗体のＥＣ５０は参照抗体と比較することができ、ＥＣ５０が最も小さい抗体が、Ｆｃ受容体に対する親和性が最も良好な抗体である。「ＥＣ５０」とは、所定の効果の５０％に達する濃度を意味する。ここで、競合抗体のＥＣ５０は、Ｆｃ受容体と参照抗体との結合を５０％阻害する上記抗体の濃度に相当することとなる。当業者はこの概念を熟知しており、上記実施形態で得られた結果からＥＣ５０を自動的に計算するソフトウェアが利用できる。
【００２７】
なお、本発明に係る方法では競合抗体を精製された形態で使用する必要はなく、競合抗体は混合物中、例えば上記抗体を産生する細胞の培養上清中などに含まれていてもよい。本発明の方法の利点の１つは、試験される抗体を調製する面倒な時間のかかる工程が必要ないため、未精製の抗体を試験できることである。
【００２８】
上記方法は、細胞膜又は無傷細胞で発現されるＦｃ受容体を使用して行う。上記膜は、化学的又は機械的処理を施した細胞から従来の方法で調製することができる。「細胞膜」には、無傷細胞の膜が含まれ、無傷細胞を使用して本発明を実施するのが特に有利で好ましいが、これはこの場合、生物学的現実に比較的近い状況で上記方法が行われるためである。
【００２９】
「参照抗体」とは、Ｆｃ受容体に結合することが明確に知られている抗体を意味する。従って、Ｆｃ受容体がＦｃγ受容体（ＦｃγＲ）の場合、参照抗体は、ＩｇＧクラスの抗体であればそのエピトープ特異性に関わらずいかなる抗体であってもよい。また、Ｆｃ受容体がＦｃα又はε受容体の場合、参照抗体はそれぞれＩｇＡ又はＩｇＥクラスのいかなる抗体であってもよい。
【００３０】
予想外にも、抗体に特定の修飾を施した場合、本発明に係る方法は親和性の変化が観察できるほど充分に感度が高いものとなった。より正確には、本発明者らは、Ｆｃ受容体に対する抗体の親和性を増加又は減少させることが知られている修飾は、本発明に係る方法を用いて測定したＥＣ５０の変化と相関性があることを見出した。
【００３１】
従って、特定の実施形態では、上記参照抗体と上記競合抗体は、特に、上記競合抗体が、そのＦｃフラグメントのグリコシル化の程度を変えるための方法で得られたもの、又は、そのＦｃフラグメントのグリコシル化の程度を変えるための処理を施されたものであるという点で異なる。
【００３２】
特に、好ましい実施形態では、上記試験抗体は、そのＦｃフラグメントのフコシル化を変えるための方法で得られたもの、又は、そのＦｃフラグメントのフコシル化を変えるための処理を施されたものであった。このような方法や処理は当業者に公知であり、特定の治療抗体の効力を向上させるために用いられる。特にＹａｍａｎｅ−Ｏｈｎｕｋｉ  ｅｔ  ａｌ．（ＭＡｂｓ．２００９  Ｍａｙ−Ｊｕｎ；１（３）：２３０−６）により記載された上記処理には、以下の３つのタイプがある。
・Ｎ−グリコシル化経路を改変して哺乳類に近づけた真核生物（酵母）又は植物細胞の遺伝子操作による抗体の製造方法：この手法は、上記生物体のＮ−グリコシル化のメカニズムに関与する特定遺伝子を非活性化する工程と、哺乳類のＮ−グリコシル化経路に特異的な別の遺伝子を導入する工程とからなる；
・（１）α−１，６フコシル化の固有活性が生来制限されている哺乳類細胞、又は、（２）干渉ＲＮＡの低分子鎖（頭字語でｓｉＲＮＡとも呼ばれる）の導入によってα−１，６フコシル化のメカニズムが阻害されている哺乳類細胞、又は、（３）β−１，４−Ｎ−アセチルグルコサミニルトランスフェラーゼ（ＧｎＴＩＩＩ）をコードするＤＮＡとゴルジ体のα−マンノシダーゼＩＩ（ＭａｎＩＩ）をコードするＤＮＡが導入された哺乳類細胞、又は、最後に（４）α−１，６−フコシル化機能が、このグリコシル化経路に関与するゲノム遺伝子座のレベルで阻害されている哺乳類細胞の遺伝子操作による抗体の製造方法；
・非フコシル化タンパク質のフコシル化を触媒する酵素、又は、フコシル化タンパク質の糖残基を切断できるフコシラーゼでの処理によるインビトロでの抗体フコシル化の制御。
【００３３】
本発明では、このようにして得た抗体をそのＦｃ受容体への結合能について容易に試験することができ、この結合能は、上記抗体の治療効果の可能性を示すことから、非常に有用な情報となる。
【００３４】
本発明の変形例の１つでは、試験抗体のグリコシル化の程度を測定することができる。この変形例は、
・グリコシル化又は脱グリコシル化の程度が既知の複数の競合抗体を使用して上記競合アッセイの方法を適用する工程であって、各種の量の各競合抗体と一定量の参照抗体との存在下で上記方法を再現する工程と、その後、
・上記競合アッセイの方法を今度は競合抗体として試験抗体を使用して適用する工程であって、各種の量の試験抗体と一定量の参照抗体との存在下で上記方法を再現する工程と、
・上記試験抗体のＥＣ５０を上記グリコシル化又は脱グリコシル化の程度が既知の複数の競合抗体のそれぞれと比較して上記試験抗体のグリコシル化の程度を測定する工程とを含むことを特徴とする。
【００３５】
この方法によって、特に抗体のフコシル化の程度を測定することができる。
【００３６】
グリコシル化又はフコシル化が何らかの形で制限されている抗体を試験する後者の実施形態は、Ｆｃ受容体が、ＩｇＧ１クラスの抗体のＦｃフラグメントへの結合が上記抗体のフコシル化の程度と関係があることが知られているＦｃγ受容体、特にＣＤ１６ａ受容体又はその変異体である場合に特に好適である。抗体のフコシル化の程度は、エフェクター細胞の応答の強さ、例えばＡＤＣＣ応答の強さなどと直接相関しているため、上記方法によって、エフェクター細胞を介した応答を引き起こす抗体の能力を予測することができる。
【００３７】
上記実施形態では、事前に標識された受容体を有する細胞膜（所望により凍結されていてもよい）も使用でき、この場合、工程（ｉ）は、ＦＲＥＴパートナー対の第一メンバーで事前に直接標識したＦｃ受容体を有する細胞膜を測定媒体中に導入する工程からなる。凍結された標識細胞を使用する場合、解凍した後で洗浄してから測定媒体に添加することとなる。
【００３８】
上記で使用した用語は以下の意味を有する。
「ＦＲＥＴパートナー対」：この表現は、蛍光エネルギードナー化合物（以下「蛍光ドナー化合物」）及びエネルギーアクセプター化合物（以下「アクセプター化合物」）を構成する一対（ペア）をいい、これらの化合物は互いに接近したり、蛍光ドナー化合物の励起波長で励起されたりした場合、ＦＲＥＴシグナルを発する。ＦＲＥＴパートナーとなる２つの蛍光化合物に関して、蛍光ドナー化合物の発光スペクトルの範囲がアクセプター化合物の励起スペクトルと部分的に重なっていなければならないことが知られている。
【００３９】
「ＦＲＥＴシグナル」：蛍光ドナー化合物及びアクセプター化合物間のＦＲＥＴを表す測定可能なあらゆるシグナルをいう。従って、ＦＲＥＴシグナルは、蛍光ドナー化合物、又は、アクセプター化合物が蛍光であればそのアクセプター化合物の発光強度又は寿命の変化であってもよい。
【００４０】
「測定媒体」：本発明を実施するのに必要な試薬と細胞又は細胞膜とを混合するためのプレートのウェル、試験管又は他の好適な容器の内容物をいう。
【００４１】
Ｆｃ受容体は、表１の受容体から選択され、好ましくはＣＤ１６ａ受容体（ＦｃγＲＩＩＩａ）又はその変異体である。この受容体の変異体がいくつか知られており、特に、自然変異体Ｌ６６Ｈ、Ｌ６６Ｒ、Ｇ１４７Ｄ、Ｙ１５８Ｈ、Ｆ２０３Ｓ、Ｆ１７６Ｖ（又は、出版物によってはＦ１５８Ｖ）が挙げられる。好ましい実施形態では、変異体Ｖ１５８（又はＶ１７６）が使用される。別の実施形態では、変異体Ｆ１５８（Ｆ１７６）である。
【００４２】
Ｆｃ受容体を標識する様々な手段を以下に説明するが、Ｆｃ受容体は自殺酵素で直接標識するのが好ましく、この酵素は、特に、デハロゲナーゼ変異体、アシル輸送タンパク質フラグメント、Ｏ６−アルキルグアニンＤＮＡアルキルトランスフェラーゼ変異体から選択してもよい。Ｏ６−アルキルグアニンＤＮＡアルキルトランスフェラーゼ変異体が好ましい。また、指摘した通り、このＦｃ受容体を標識する方法は、Ｆｃ受容体と自殺酵素とを含む融合タンパク質の発現を可能にする前処理を細胞に施すことを意味する。ＦＲＥＴパートナー対の一方のメンバーと結合した上記自殺酵素の基質を添加することによって標識が行われることとなる。
【００４３】
また、フルオロフォア標識抗体を標識する手段を以下に説明するが、この抗体をＦＲＥＴパートナーの一方に共有結合させて直接標識するのが好ましい。
【００４４】
特定の実施形態では、Ｆｃ受容体はアクセプター化合物で、抗体はドナー化合物で標識される。別の実施形態では、Ｆｃ受容体はドナー化合物で、抗体はアクセプター化合物で標識される。後者の実施形態が好ましい。
【００４５】
Ｆｃ受容体の標識
（ａ）ドナー又はアクセプターとＦｃ受容体との間接（非共有）結合
ドナー又はアクセプターは、Ｆｃ受容体と結合できるタンパク質を介してＦｃ受容体と結合させることができ、このタンパク質自身はＦＲＥＴパートナー対の第一メンバーで直接標識又は間接標識される。例えば、ＦｃγＲＩＩＩＡ（ＣＤ１６ａ）受容体が、ＦｃεＲＩ受容体のγ鎖又はＣＤ３のζサブユニットと細胞膜において結合するため、蛍光化合物で直接標識した上記γ又はζ鎖でＣＤ１６ａ受容体を間接標識できることが知られている。
【００４６】
ドナー又はアクセプターは、少なくとも一方がタンパク質性である結合パートナー対を介してＦｃ受容体と結合させることができる。この手法では、分子生物学の従来法（タンパク質結合パートナーをコードするヌクレオチド配列と融合した、Ｆｃ受容体をコードするヌクレオチド配列を有する発現ベクターの構築、及び、上記発現ベクターの細胞への挿入）によってＦｃ受容体をタンパク質性結合パートナーと融合させる。もう１つの結合パートナー（本明細書ではカップリング剤と呼ぶ）とドナー又はアクセプターを共有結合させ、その後、細胞外媒体に添加する。結合パートナーが認識されると、Ｆｃ受容体がドナー又はアクセプターで間接標識される。
【００４７】
この種の結合パートナーの例として以下のものが挙げられるが、これらに限定されない。
【００４８】
・Ｆｃ受容体上に生来存在するエピトープの特異的抗体が蛍光化合物で標識されたものと上記エピトープとからなる一対。この標識法を用いた場合、上記エピトープと上記抗体との結合が、抗体のＦｃフラグメントとＦｃ受容体との結合に干渉しないことを確認することが推奨される。また、この実施形態では、所望のＦｃ受容体により認識され得る定常部フラグメントを有する抗体の使用を避けることが推奨される。
【００４９】
・システイン−システイン−Ｘ−Ｘ−システイン−システイン配列（Ｘは任意のアミノ酸）（配列番号１）と二ヒ素化合物とからなる一対。上記二ヒ素化合物はフルオレセイン系又はローダミン系有機分子で容易に標識することができる（本技術の詳細は、Ｂ．Ａ．Ｇｒｉｆｆｉｎ  ｅｔ  ａｌ．（１９９８）Ｓｃｉｅｎｃｅ．１９９８，２８１，２６９−２７１、及び、Ｓ．Ａ．Ａｄａｍｓ  ｅｔ  ａｌ．（２００２）Ｊ．Ａｍ．Ｃｈｅｍ．Ｓｏｃ．２００２，１２４，６０６３−６０７６を参照）。
【００５０】
・ブンガロトキシン（ＢＴＸ）により認識されるアミノ酸１３残基からなる化合物であるＢＴＸ（ブンガロトキシン）ペプチドを蛍光分子と結合させることができる（Ｃ．Ｍ．ＭｃＣａｎｎ  ｅｔ  ａｌ．（２００５），Ｂｉｏｔｅｃｈｎｉｑｕｅ（２００５），３８，９４５−９５２を参照）。
【００５１】
・ストレプトアビジン（又はアビジン）／ビオチン対：ストレプトアビジンの結合配列（ＳＢＰ−Ｔａｇ）は、アミノ酸３８残基からなる配列であり、ビオチンに対して親和性が高く、事前にドナー又はアクセプターで標識できる（Ｃ．Ｍ．ＭｃＣａｎｎ  ｅｔ  ａｌ．（２００５），Ｂｉｏｔｅｃｈｎｉｑｕｅ（２００５），３８，９４５−９５２を参照）。
【００５２】
・大腸菌のジヒドロ葉酸レダクターゼ酵素（ｅＤＨＦＲ）の配列であって、トリメトプリム等のリガンドに高い親和性を示して特異的に結合し、Ａｃｔｉｖｅ  Ｍｏｔｉｆ社の“Ｌｉｇａｎｄ  ｌｉｎｋ  Ｕｎｉｖｅｒｓａｌ  ｌａｂｅｌｉｎｇ  ｔｅｃｈｎｏｌｏｇｙ”と呼ばれる技術によってドナー又はアクセプターをグラフト化することができる配列。
【００５３】
・タグ／アンチタグ対は、タンパク質の標識に頻繁に使用される結合パートナーである。「タグ（ｔａｇ）」とは、必須ではないものの通常は非常に短いアミノ酸配列（アミノ酸１５残基未満）からなる低分子タンパク質「標識」をいい、これがＦｃ受容体と融合される。「アンチタグ（ａｎｔｉｔａｇ）」とは、上記「タグ」に特異的に結合する抗体をいう。この実施形態では、「アンチタグ」抗体がドナー又はアクセプターに共有結合する。このように標識された抗体が細胞外媒体に添加されると、Ｆｃ受容体と結合した「タグ」に結合し、「タグ／アンチタグ」相互作用よって上記タンパク質はドナー又はアクセプターで間接標識される。「タグ／アンチタグ」対の例として特に限定されないが以下の対が挙げられ、これらの対の各メンバーは市販されている。ＧＳＴ／ａｎｔｉ−ＧＳＴ抗体（ＧＳＴはグルタチオンＳ−トランスフェラーゼ又はそのフラグメントを表す）、６ＨＩＳ／ａｎｔｉ−６ＨＩＳ抗体（６ＨＩＳはヒスチジン６残基からなるペプチド）、Ｍｙｃ／ａｎｔｉ−Ｍｙｃ抗体（Ｍｙｃは、ヒトＭｙｃタンパク質のアミノ酸４１０〜４１９からなるペプチド）、ＦＬＡＧ／ａｎｔｉ−ＦＬＡＧ抗体（ＦＬＡＧは、アミノ酸８残基ＤＹＫＤＤＤＤＫ（配列番号２）からなるペプチド）、ＨＡ／ａｎｔｉ−ＨＡ抗体（ＨＡは、アミノ酸９残基ＹＰＹＤＶＰＦＹＡ（配列番号３）からなるインフルエンザヘマグルチニンエピトープ）が挙げられる。明らかであるが、タグの正確な性質は本発明の実施に必須ではない。
【００５４】
（ｂ）ドナー又はアクセプターとＦｃ受容体との共有結合
この手法では、ドナー又はアクセプターは共有結合によってＦｃ受容体と結合されるが、いくつかの方法が開示されており、それらを行うのに必要な試薬は市販されている。この結合を行うために、以下の方法のいずれかを用いることができる。
【００５５】
・ＦＣ受容体上に存在する反応基について、特に以下の基の１つについて共有結合を形成する。アミノ末端基、アスパラギン酸及びグルタミン酸のカルボン酸基、リシンのアミン基、アルギニンのグアニジン基、システインのチオール基、チロシンのフェノール基、トリプトファンのインドール環、メチオニンのチオエーテル基、ヒスチジンのイミダゾール基。
【００５６】
これらのＦＣ受容体上に存在する基は、ドナー又はアクセプターが担持する反応基と共有結合を形成できる。適切な反応基は当業者に公知であるが、例えば、マレイミド基で官能化されたドナー又はアクセプターは、タンパク質のシステインが担持するチオール基と共有結合が可能なものとなる。また、Ｎ−ヒドロキシスクシンイミドエステルを担持するドナー／アクセプターは、膜受容体のアミンと共有結合が可能なものとなる。
【００５７】
・自殺酵素の使用
「自殺酵素」は、基質と迅速に共有結合できるようにする特定の変異によって酵素活性を変化させたタンパク質を意味する。この酵素は、それぞれ１つの蛍光分子としか結合できず、基質を固定することで酵素活性がブロックされるため、「自殺酵素」と呼ばれている。結果的に、この酵素は、１つのタンパク質に１つの蛍光分子の割合で所望の受容体を特異的に標識するのに最適な道具となる。この手法では、分子生物学の従来の方法によって自殺酵素をＦｃ受容体と好ましくはそのＮ末端部で融合させ、ドナー又はアクセプターと共有結合した酵素の基質を細胞外媒体中に導入する。酵素反応によって上記酵素と標識基質とが共有結合し、その結果、Ｆｃ受容体がドナー又はアクセプターで標識される。
【００５８】
例えば以下の酵素が挙げられるが、これらに限定されない。
・Ｏ６−アルキルグアニンＤＮＡアルキルトランスフェラーゼ（ＡＧＴ）変異体。Ｃｉｓｂｉｏ  Ｂｉｏａｓｓａｙｓ社から販売されているＳＮＡＰ−ｔａｇ酵素（Ｊｕｉｌｌｅｒａｔ  ｅｔ  ａｌ．，Ｃｈｅｍｉｓｔｒｙ＆ｂｉｏｌｏｇｙ，Ｖｏｌ．１０，３１３−３１７  Ａｐｒｉｌ  ２００３）、及び、ＣＬＩＰ−ｔａｇ酵素（Ｇａｕｔｉｅｒ  ｅｔ  ａｌ．，Ｃｈｅｍｉｓｔｒｙ  ａｎｄ  Ｂｉｏｌｏｇｙ，１５，１２８−１３６，Ｆｅｂｒｕａｒｙ  ２００８）は、ヒトＡＧＴの変異体であり、これらの基質はそれぞれ、Ｏ６−ベンジルグアニン（以下ＢＧと略す）及びＯ２−ベンジルシトシン（以下ＢＣと略す）である。Ｎ−ＡＧＴ酵素（Ｇｒｏｎｅｍｅｙｅｒ  ｅｔ  ａｌ．，Ｐｒｏｔｅｉｎ  ｅｎｇｉｎｅｅｒｉｎｇ，ｄｅｓｉｇｎ＆ｓｅｌｅｃｔｉｏｎ，ｖｏｌ．１９，Ｎｏ．７，ｐｐ３０９−３０１６，２００６）は上記酵素の別の変異体であり、そのＯ６−ベンジルグアニンとの反応性はＳＮＡＰ−ｔａｇ酵素よりも良好である。
【００５９】
・自殺型の酵素反応（国際公開第２００４／０７２２３２号を参照）も起こすデハロゲナーゼ変異体（Ｐｒｏｍｅｇａから販売されているＨａｌｏＴａｇ酵素等）。この変異体の基質の幾つかはクロロアルカンファミリーの化合物であり、特に−ＮＨ−ＣＨ２ＣＨ２−Ｏ−ＣＨ２ＣＨ２−Ｏ−（ＣＨ２）６−Ｃｌ単位を含むクロロアルカンが挙げられる。この場合、ドナー／アクセプターはこのような単位と結合することとなる。
【００６０】
・アシル輸送タンパク質であるＡＣＰタンパク質（「アシルキャリアタンパク質」）であって、ホスホパンテテイントランスフェラーゼの存在下、補酵素Ａの４’−ホスホパンテテイン残基がＡＣＰのセリンに転移するＡＣＰタンパク質（Ｎ．Ｇｅｏｒｇｅ  ｅｔ  ａｌ．，Ｊｏｕｒｎａｌ  ｏｆ  ｔｈｅ  Ａｍｅｒｉｃａｎ  Ｃｈｅｍｉｃａｌ  Ｓｏｃｉｅｔｙ  １２６（２００４）ｐ８８９６−８８９７）。この手法を用いてドナー又はアクセプターでＦｃ受容体を標識する場合、ホスホパンテテイントランスフェラーゼを反応媒体に添加する必要がある。ＮＥＢ社から、タンパク質標識用にＡＣＰフラグメントが商品名「ＡＣＰ−Ｔａｇ」として販売されている。
【００６１】
上記手法を所望の受容体の標識に用いる場合、自殺酵素と所望の受容体とを含む融合タンパク質をコードするＤＮＡを含む発現プラスミドを細胞にトランスフェクトする。このプラスミドはさらに、上記タンパク質をコードするＤＮＡの上流に、例えばＦＬＡＧエピトープ、ｍｙｃエピトープ又はインフルエンザヘマグルチニン（ＨＡ）のエピトープ等のタグをコードするＤＮＡを含んでいてもよい。これらのタグは必須ではないが、検査又は精製のために融合タンパク質を操作するのが容易になる。エレクトロポレーション等の従来の方法によってトランスフェクションを行う。
【００６２】
融合タンパク質が細胞膜で確実に発現されるように、発現プラスミド中、所望の受容体及び自殺酵素をコードする配列の上流に、Ｔ８シグナルペプチドやｍＧｌｕＲ５受容体のシグナルペプチド等の膜アドレッシングペプチドをコードする配列を含ませることが有用な場合があり、このために上記配列を使用することは当業者に公知である。最後に、所望の受容体と自殺酵素との結合を翻訳後に切断するものとなり得る天然の膜アドレッシング配列が、所望の受容体をコードする配列に確実に含まれないようにすることも望ましい。この場合には、この領域を発現プラスミド中に導入しないことが好ましい。
【００６３】
最後に、Ｆｃ受容体をＦＲＥＴパートナーで標識するのに自殺酵素を使用する場合、本発明では、Ｆｃ受容体がそのＮ末端部で自殺酵素と融合した融合タンパク質をコードするＤＮＡ配列を有する発現ベクターを細胞にトランスフェクトする予備工程を行う。エレクトロポレーションやリポフェクタミンの使用などといったトランスフェクション法が当業者に公知である。
【００６４】
ＦＲＥＴパートナーと結合した酵素の基質を細胞外媒体中に導入すると、所望の受容体が上記ＦＲＥＴパートナーで標識されることとなる。
【００６５】
Ｃｉｓｂｉｏ  Ｂｉｏａｓｓａｙｓ社から、商品名ＳＮＡＰ−ｔａｇ（Ｒ）、ＣＬＩＰ−ｔａｇ（Ｒ）及びＨａｌｏｔａｇ（Ｒ）として知られる自殺酵素を含む融合タンパク質を発現可能なＴａｇ−Ｌｉｔｅ（Ｒ）プラスミドが販売されている。表１のＦｃ受容体をコードするＤＮＡ配列は公知であり、Ｇｅｎｂａｎｋ等のデータベースから入手できる。
【００６６】
抗体の標識
また、抗体は直接標識又は間接標識することもできる。
【００６７】
抗体上の反応基、特に以下の基の存在を利用した当業者に公知の従来法によって抗体を蛍光化合物で直接標識することができる。アミノ末端基、アスパラギン酸及びグルタミン酸のカルボン酸基、リシンのアミン基、アルギニンのグアニジン基、システインのチオール基、チロシンのフェノール基、トリプトファンのインドール環、メチオニンのチオエーテル基、ヒスチジンのイミダゾール基。
【００６８】
これらの基は、蛍光化合物が担持する反応基と共有結合を形成できる。適切な反応基は当業者に公知であるが、例えば、マレイミド基で官能化されたドナー又はアクセプターは、タンパク質のシステインが担持するチオール基と共有結合が可能なものとなる。また、Ｎ−ヒドロキシスクシンイミドエステルを担持するドナー／アクセプターは、抗体上のアミンと共有結合が可能なものとなる。
【００６９】
また、抗体は、例えば、蛍光化合物と共有結合した別の抗体（この第二抗体が第一抗体を特異的に認識する）を測定媒体中に導入することなどによって蛍光化合物で間接標識することもできる。この手法を用いる場合、Ｆｃ受容体により認識されることのないＦｃ領域を有する第二抗体を選択することが推奨される。
【００７０】
間接標識の他の非常に典型的な従来手段は、標識する抗体にビオチンを固定する工程と、その後、フルオロフォアで標識したストレプトアビジンの存在下でビオチン化抗体を培養する工程とからなる。ビオチン化抗体は市販されており、例えばフルオロフォアで標識したストレプトアビジンが商品名「ｄ２」（参照番号６１０ＳＡＤＬＡ）としてＣｉｓｂｉｏ  Ｂｉｏａｓｓａｙｓ社から販売されている。
【００７１】
そのＦｃ受容体との結合が測定される抗体はそのＦｃ領域を介して上記受容体と結合するため、その可変領域は、特異的な抗原を認識するために利用できる状態のままである。従って、蛍光化合物で標識した抗体の抗原を測定媒体中に導入することによって上記抗体を間接標識することもできる。
【００７２】
ＦＲＥＴパートナー対
本発明によれば、Ｆｃ受容体と、この受容体により認識される抗体の少なくとも１つは、それぞれＦＲＥＴパートナー対のメンバーで、特に蛍光ドナー化合物又は蛍光エネルギーアクセプター化合物で標識される。
【００７３】
ＦＲＥＴは、エネルギードナー及びエネルギーアクセプター間の双極子−双極子相互作用により生じる無放射エネルギー移動と定義される。この物理現象には上記分子間のエネルギー互換性が必要である。これは、ドナーの発光スペクトルの範囲が、アクセプターの吸収スペクトルと少なくとも部分的に重なっていなければならないことを意味する。フェルスターの理論によれば、ＦＲＥＴは、ドナーとアクセプターという２つの分子を隔てる距離に依存するプロセスであり、これらの分子が互いに接近すれば、ＦＲＥＴシグナルが発せられる。
【００７４】
ＦＲＥＴシグナルを得るためにフルオロフォアのドナー／アクセプター対を選択することは、当業者の能力の範囲内である。ＦＲＥＴ現象を研究するのに使用できるドナー／アクセプター対は、特にＪｏｓｅｐｈ  Ｒ．Ｌａｋｏｗｉｃｚの研究（Ｐｒｉｎｃｉｐｌｅｓ  ｏｆ  ｆｌｕｏｒｅｓｃｅｎｃｅ  ｓｐｅｃｔｒｏｓｃｏｐｙ，２ｎｄ  ｅｄｉｔｉｏｎ  ３３８）に記載されており、当業者は本文献を参照できるだろう。
【００７５】
長寿命（＞０．１ミリ秒、好ましくは０．５〜６ミリ秒）のエネルギードナー蛍光化合物、特に希土類キレート又はクリプテートは、測定媒体から発せられるバックグラウンドノイズの大部分を排除しつつ、時間分解測定が行える、すなわちＴＲ−ＦＲＥＴ（「時間分解ＦＲＥＴ」）シグナルを測定できるため有利である。この理由から、通常、上記化合物は本発明に係る方法を行うのに好ましい。上記化合物はランタニド錯体であるのが有利である。これらの錯体（キレート又はクリプテート等）は、ＦＲＥＴ対のエネルギードナーメンバーとして特に好適である。
【００７６】
ジスプロシウム（Ｄｙ３＋）、サマリウム（Ｓｍ３＋）、ネオジム（Ｎｄ３＋）、イッテルビウム（Ｙｂ３＋）又はエルビウム（Ｅｒ３＋）の錯体は、本発明の目的にも適した希土類錯体であるが、ユーロピウム（Ｅｕ３＋）錯体及びテルビウム（Ｔｂ３＋）錯体が特に好ましい。
【００７７】
多くの希土類錯体が開示され、現在、幾つかのものがＰｅｒｋｉｎＥｌｍｅｒ社、Ｉｎｖｉｔｒｏｇｅｎ社及びＣｉｓｂｉｏ  Ｂｉｏａｓｓａｙｓ社から販売されている。
【００７８】
本発明の目的に適した希土類キレート又はクリプテートの例として以下のものが挙げられる。
【００７９】
・１以上のピリジン単位を含むランタニドクリプテート。このような希土類クリプテートは、例えば欧州特許第０１８０４９２号明細書、欧州特許第０３２１３５３号明細書、欧州特許第０６０１１１３号明細書、及び、国際公開第０１／９６８７７号等に記載されている。テルビウム（Ｔｂ３＋）及びユーロピウム（Ｅｕ３＋）のクリプテートは本発明の目的に特に適している。ランタニドクリプテートは、Ｃｉｓｂｉｏ  Ｂｉｏａｓｓａｙｓ社から販売されている。例えば、以下の式を有するユーロピウムクリプテート（反応基（本例では例えばＮＨ２基）を介して標識する化合物と結合できる）が挙げられるが、これらに限定されない。
【００８０】
【化１】
2014527179.tif 000003
【００８１】
【化２】
2014527179.tif 000004
【００８２】
・特に米国特許第４７６１４８１号明細書、米国特許第５０３２６７７号明細書、米国特許第５０５５５７８号明細書、米国特許第５１０６９５７号明細書、米国特許第５１１６９８９号明細書、米国特許第４７６１４８１号明細書、米国特許第４８０１７２２号明細書、米国特許第４７９４１９１号明細書、米国特許第４６３７９８８号明細書、米国特許第４６７０５７２号明細書、米国特許第４８３７１６９号明細書、米国特許第４８５９７７７号明細書に記載されているランタニドキレート。欧州特許第０４０３５９３号明細書、米国特許第５３２４８２５号明細書、米国特許第５２０２４２３号明細書、米国特許第５３１６９０９号明細書には、ターピリジンなどの九座リガンドからなるキレートが記載されている。ランタニドキレートはＰｅｒｋｉｎＥｌｍｅｒ社から販売されている。
【００８３】
・Ｐｏｏｌｅ  Ｒ．ｅｔ  ａｌ．，Ｂｉｏｍｏｌ．Ｃｈｅｍ，２００５，３，１０１３−１０２４“Ｓｙｎｔｈｅｓｉｓ  ａｎｄ  ｃｈａｒａｃｔｅｒｉｚａｔｉｏｎ  ｏｆ  ｈｉｇｈｌｙ  ｅｍｉｓｓｉｖｅ  ａｎｄ  ｋｉｎｅｔｉｃａｌｌｙ  ｓｔａｂｌｅ  ｌａｎｔｈａｎｉｄｅ  ｃｏｍｐｌｅｘｅｓ  ｓｕｉｔａｂｌｅ  ｆｏｒ  ｕｓａｇｅ  ｉｎ  ｃｅｌｌｕｌｏ”に記載されたものなど、芳香環を含む発色団で置換されたキレート剤（テトラアザシクロドデカン等）を構成するランタニド錯体も使用できる。国際公開第２００９／１０５８０号に記載された錯体を使用することもできる。
【００８４】
・欧州特許第１１５４９９１号明細書及び欧州特許第１１５４９９０号明細書に記載のランタニドクリプテートも使用できる。
【００８５】
・下記式を有するテルビウムクリプテート（反応基（本例では例えばＮＨ２基）を介して標識する化合物と結合できる）であって、その合成法が国際公開第２００８／０６３７２１号（化合物６ａ、８９頁）に記載されているもの。
【００８６】
【化３】
2014527179.tif 000005
【００８７】
・Ｃｉｓｂｉｏ  Ｂｉｏａｓｓａｙｓ社から販売されているＬｕｍｉｐｈｏｒｅ社製のテルビウムクリプテートＬｕｍｉ４−Ｔｂ。
【００８８】
・以下の式を有するＲｅｓｅａｒｃｈ  Ｏｒｇａｎｉｃｓ社製のｑｕａｎｔｕｍ  ｄｙｅ（反応基（本例ではＮＣＳ）を介して標識する化合物と結合できる）。
【００８９】
【化４】
2014527179.tif 000006
【００９０】
・ルテニウムキレート、特にルテニウムイオンと幾つかのビピリジンとからなる錯体（ルテニウム（ＩＩ）トリス（２，２’−ビピリジン）等）。
【００９１】
・以下の式を有するＬｉｆｅ  ｔｅｃｈｎｏｌｏｇｉｅｓ社から販売されているテルビウムキレートＤＴＰＡ−ｃｓ１２４  Ｔｂ（反応基Ｒを介して標識する化合物と結合できる）であって、その合成法が米国特許第５６２２８２１号明細書に記載されているもの。
【００９２】
【化５】
2014527179.tif 000007
【００９３】
・Ｌａｔｖａ  ｅｔ  ａｌ．（Ｊｏｕｒｎａｌ  ｏｆ  Ｌｕｍｉｎｅｓｃｅｎｃｅ  ７５：１４９−１６９）に記載の以下の式を有するテルビウムキレート。
【００９４】
【化６】
2014527179.tif 000008
【００９５】
上記蛍光ドナー化合物は、ユーロピウムクリプテート、ユーロピウムキレート、テルビウムキレート、テルビウムクリプテート、ルテニウムキレート、及び、ｑｕａｎｔｕｍ  ｄｙｅから選択するのが特に有利であり、ユーロピウム又はテルビウムのキレート及びクリプテートが特に好ましい。
【００９６】
ジスプロシウム（Ｄｙ３＋）、サマリウム（Ｓｍ３＋）、ネオジム（Ｎｄ３＋）、イッテルビウム（Ｙｂ３＋）又はエルビウム（Ｅｒ３＋）の錯体もまた、本発明の目的に適した希土類錯体である。
【００９７】
蛍光アクセプター化合物は以下の群から選択できる：アロフィコシアニン類、特に商品名ＸＬ６６５で知られるもの；発光性有機分子、例えばローダミン類、シアニン類（例えばＣｙ５等）、スクアライン類、クマリン類、プロフラビン類、アクリジン類、フルオレセイン類、ボロンジピロメテンの誘導体（商品名「Ｂｏｄｉｐｙ」で販売されている）、「Ａｔｔｏ」の名称で知られているフルオロフォア、「ＤＹ」の名称で知られているフルオロフォア、「Ａｌｅｘａ」の名称で知られている化合物、ニトロベンゾオキサジアゾール。蛍光アクセプター化合物は、アロフィコシアニン類、ローダミン類、シアニン類、スクアライン類、クマリン類、プロフラビン類、アクリジン類、フルオレセイン類、ボロンジピロメテンの誘導体、ニトロベンゾオキサジアゾールから選択するのが有利である。
【００９８】
「シアニン類」及び「ローダミン類」とは、それぞれ「シアニン誘導体」及び「ローダミン誘導体」と理解されるべきである。これら各種フルオロフォアは市販されており、当業者に公知である。
【００９９】
「Ａｌｅｘａ」化合物はＩｎｖｉｔｒｏｇｅｎ社から販売されており、「Ａｔｔｏ」化合物はＡｔｔｏｔｅｃ社から販売されており、「ＤＹ」化合物はＤｙｏｍｉｃｓ社から販売されており、「Ｃｙ」化合物はＡｍｅｒｓｈａｍ  Ｂｉｏｓｃｉｅｎｃｅｓ社から販売されており、その他の化合物は、Ｓｉｇｍａ社、Ａｌｄｒｉｃｈ社又はＡｃｒｏｓ社等の様々な化学試薬供給業者から販売されている。
【０１００】
蛍光アクセプター化合物として以下の蛍光タンパク質も使用できる。シアン蛍光タンパク質（ＡｍＣｙａｎ１、Ｍｉｄｏｒｉ−Ｉｓｈｉ  Ｃｙａｎ、ｍＴＦＰ１）、緑色蛍光タンパク質（ＥＧＦＰ、ＡｃＧＦＰ、ＴｕｒｂｏＧＦＰ、Ｅｍｅｒａｌｄ、Ａｚａｍｉ  Ｇｒｅｅｎ、ＺｓＧｒｅｅｎ）、黄色蛍光タンパク質（ＥＹＦＰ、Ｔｏｐａｚ、Ｖｅｎｕｓ、ｍＣｉｔｒｉｎｅ、ＹＰｅｔ、ＰｈｉＹＦＰ、ＺｓＹｅｌｌｏｗ１、ｍＢａｎａｎａ）、オレンジ色・赤色蛍光タンパク質、（Ｏｒａｎｇｅ  ｋｕｓｉｂａｒｉ、ｍＯｒａｎｇｅ、ｔｄｔｏｍａｔｏ、ＤｓＲｅｄ、ＤｓＲｅｄ２、ＤｓＲｅｄ−Ｅｘｐｒｅｓｓ、ＤｓＲｅｄ−Ｍｏｎｏｍｅｒ、ｍＴａｎｇｅｒｉｎｅ、ＡｓＲｅｄ２、ｍＲＦＰ１、ＪＲｅｄ、ｍＣｈｅｒｒｙ、ｍＳｔｒａｗｂｅｒｒｙ、ＨｃＲｅｄ１、ｍＲａｓｐｂｅｒｒｙ、ＨｃＲｅｄ−Ｔａｎｄｅｍ、ｍＰｌｉｍ、ＡＱ１４３）、及び、近赤外領域で蛍光性を有するタンパク質（ｍＫａｔｅ、ｍＫａｔｅ２、ｔｄＫａｔｕｓｈｋａ２）。
【０１０１】
本発明の目的においては、蛍光アクセプター化合物としてシアニン誘導体又はフルオレセイン誘導体が好ましい。
【０１０２】
試薬キット、細胞
本発明は、本発明に係る方法を行うための発現ベクター及び試薬キットにも関する。
【０１０３】
本発明における発現ベクターは、所望のＦｃ受容体をコードするＤＮＡ配列と、自殺酵素、特にデハロゲナーゼ変異体、アシル輸送タンパク質フラグメント、及び、Ｏ６−アルキルグアニンＤＮＡアルキルトランスフェラーゼ変異体から選択される自殺酵素（好ましくはＯ６−アルキルグアニンＤＮＡアルキルトランスフェラーゼ変異体）をコードする配列とを含む融合タンパク質を発現可能なプラスミドである。Ｃｉｓｂｉｏ  Ｂｉｏａｓｓａｙｓ社から商品名Ｔａｇ−ｌｉｔｅ（Ｒ）、ＳＮＡＰ−ｔａｇ（Ｒ）、ＣＬＩＰ−ｔａｇ（Ｒ）及びＨａｌｏ−ｔａｇ（Ｒ）として販売されているいずれかのプラスミドに、所望のＦｃ受容体をコードするＤＮＡ配列を組み込むことによって得られる。
【０１０４】
本発明は、本発明における発現ベクターを安定的に又は一時的にトランスフェクトした細胞、特に哺乳類細胞にも関する。エレクトロポレーションやリポフェクタミンの使用などといった細胞への発現ベクターの導入法は当業者に公知である。特に有利な態様では、ＦＲＥＴパートナー対のメンバーと結合した自殺酵素の基質の存在下で上記細胞を培養することにより、上記細胞によって発現されるＦｃ受容体が標識される。上記細胞は、保存したり、使用者に分配したりするのが容易になるように凍結状態で包装することができる。
【０１０５】
本発明に係る試薬キットは、上記発現ベクター又は上記細胞とともに、ＦＲＥＴパートナー対の一方又は両方のメンバーを含む。上記ＦＲＥＴパートナーは、自殺酵素の基質と結合させてもよく、及び／又は、上記細胞により発現されるＦｃ受容体と結合可能なＦｃフラグメントを有する参照抗体と結合させてもよい。
【０１０６】
上記プラスミド及び試薬キットにおいては、所望の受容体がＦｃγ受容体、特にＣＤ１６ａ受容体又はその変異体であることが好ましい。
【実施例】
【０１０７】
実施例１：材料及び方法
使用試薬：
培地：ＤＭＥＭ／Ｇｌｕｔａｍａｘ＋１０％ＦＣＳ＋ストレプトマイシン（５０μｇ／ｍＬ）、ペニシリン５０Ｕ／ｍＬ、ＨＥＰＥＳ２ｍＭ、非必須アミノ酸１％（ＩｎＶｉｔｒｏｇｅｎ）
ＯｐｔｉＭＥＭ：トランスフェクションに使用した培地、Ｉｎｖｉｔｒｏｇｅｎ
リポフェクタミン  ２０００：Ｉｎｖｉｔｒｏｇｅｎ
ＳＮＡＰ−ＣＤ１６Ａ  プラスミド：ＳＮＡＰ−ｔａｇ（Ｒ）ｐＴ８−ＳＮＡＰ−ネオマイシンプラスミド（Ｃｉｓｂｉｏ  Ｂｉｏａｓｓａｙｓ）にＣＤ１６ａ受容体（変異体Ｖ１５８（又はＶ１７６）、参照番号Ｇｅｎｂａｎｋ  ＮＭ＿０００５６９．６、タンパク質配列ＮＰ＿０００５６０．５）をコードする核酸配列（配列番号４）を挿入して作製、図１を参照
ＦｃεＲＩ受容体のプラスミドγ鎖：ＦｃεＲＩ受容体のγ鎖をコードするＤＮＡ配列（配列番号５）を発現プラスミドに従来の方法で挿入した。このプラスミドのマップを図２に示す。ＣＤ１６ａ受容体がこのγ鎖と二量体を形成することが知られており、従って、２種類のタンパク質を同時発現させることが推奨されている。それにもかかわらず、本発明者らは、本発明に係る方法を行う際にこの同時発現を行う必要がないことを見出した。
ＦＣＳ：ウシ胎仔血清、Ｉｎｖｉｔｒｏｇｅｎ
ＤＭＳＯ：ジメチルスルホキシド、ＳＩＧＭＡ
Ｔａｇ−ｌｉｔｅ（Ｒ）ＳＮＡＰ−Ｌｕｍｉ４Ｔｂ：ドナー化合物、Ｃｉｓｂｉｏ  Ｂｉｏａｓｓａｙｓ、参照番号ＳＳＮＰＴＢＸ
Ｔａｇ−ｌｉｔｅ（Ｒ）：標識バッファ、Ｃｉｓｂｉｏ  Ｂｉｏａｓｓａｙｓ、参照番号ＬＡＢＭＥＤ
【０１０８】
細胞のトランスフェクション：
「ＳＮＡＰ−ＣＤ１６Ａ」プラスミド５μＬ（１μｇ／μＬ）、リポフェクタミン１５μＬ及びＯｐｔｉＭＥＭ培地２．６ｍＬを含むトランスフェクション混合液と、「γ鎖」プラスミド１０μＬ（１μｇ／μＬ）、リポフェクタミン３０μＬ及びＯｐｔｉＭＥＭ培地５．４ｍＬからなる混合液とを室温で２０分間培養した。
【０１０９】
Ｔ１７５フラスコ中でＨＥＫ２９３細胞を培養した。この細胞が６０〜７０％コンフルエンスに達したら、培地を取り除き、細胞をＰＢＳ媒体１０ｍＬで洗浄した。次に、この細胞に上記トランスフェクション混合液８ｍＬを加え、さらに培地１２ｍＬも添加した。その後、細胞を３７℃で一晩培養した。
【０１１０】
蛍光ドナー化合物Ｌｕｍｉ４（Ｒ）Ｔｂによる標識
トランスフェクション混合液を取り除き、ＰＢＳ１０ｍＬで洗浄した後、Ｔａｇ−ｌｉｔｅ（Ｒ）標識バッファ中に溶解した蛍光ドナー化合物Ｔａｇ−ｌｉｔｅ（Ｒ）ＳＮＡＰ−Ｌｕｍｉ４−Ｔｂ  １０ｍＬ（１００ｎＭ）を添加した。
【０１１１】
３７℃で１時間培養した後、Ｔａｇ−ｌｉｔｅ（Ｒ）標識バッファで混合液を４回洗浄し、次に細胞を解離させるために「細胞解離バッファ」（Ｓｉｇｍａ）５ｍＬを添加し、さらにＯｐｔｉＭＥＭ培地５ｍＬを添加した。得られた細胞に対して１２００ｒｐｍで５分間遠心分離を行った。その後、Ｔａｇ−ｌｉｔｅ（Ｒ）標識バッファ１ｍＬ＋１ｍＬを使用して沈渣を再懸濁して細胞数をカウントした。
【０１１２】
この懸濁液を再び１２００ｒｐｍで５分間遠心分離し、１０％ＦＣＳ及び１０％ＤＭＳＯを含む培地に沈渣を溶かして、濃度１００万細胞／ｍＬの標識細胞の懸濁液を得た。
【０１１３】
この懸濁液を各試験管に１ｍＬ分注し、試験管を−８０℃のＮａｌｇｅｎｅボックスに入れた。
【０１１４】
ＦＲＥＴシグナルの測定
以下の実施例では、ＨＴＲＦに適合する装置であるＰＨＥＲＡｓｔａｒＦＳ（ＢＭＧ  Ｌａｂｔｅｃｈ）によって、遅延時間６０μ秒、積算時間４００μ秒としてＦＲＥＴシグナルの時間分解測定を行った。
【０１１５】
実施例２
実施例１に記載の方法で作製した細胞を３７℃で解凍し、直ちにＰＢＳ１５ｍＬと混合した。得られた懸濁液を１２００ｒｐｍで５分間遠心分離し、上清を取り除いた。Ｔａｇ−ｌｉｔｅ（Ｒ）バッファに沈渣を再懸濁して、３８４ＬＶマルチウェルプレートの各ウェルにＨＥＫ−ＣＤ１６ａ−Ｔｂ細胞を１０μＬ未満、濃度１００００細胞／ウェルで分配可能な懸濁液を得た。
【０１１６】
５μＬ未満、各種最終濃度０．３ｎＭ〜５μＭでＩｇＧ１アイソタイプの非標識ヒト抗体（そのエピトープ特異性は重要ではない）を添加した。
【０１１７】
同じ抗体をｄ２フルオロフォアアクセプター（ｄ２標識キット、Ｃｉｓｂｉｏ  Ｂｉｏａｓｓａｙｓ、参照番号６２Ｄ２ＤＰＥＡ）で標識したものを５μＬ未満、２００ｎＭで添加して、最終濃度が５０ｎＭとなるようにした。
【０１１８】
３８４プレートから発せられるＦＲＥＴシグナルを直後に測定し、その後は３０分後、１時間後、２時間３０分後、３時間４０分後、５時間後及び６時間後に測定した。
【０１１９】
図３に示した結果から、本発明に係る方法によって、ＣＤ１６ａ受容体と抗体のＦｃフラグメントとの結合の動態を効果的にモニタリングできることが分かる。
【０１２０】
実施例３
今回は、ＩｇＧ１型抗体ほどはＣＤ１６ａ受容体に対する親和性が良好ではないことが知られているアイソタイプＩｇＧ２、ＩｇＧ３及びＩｇＧ４のヒト抗体（それらのエピトープ特異性は重要ではない）を非標識ＩｇＧ１抗体（競合抗体）の代わりに使用したことを除き、実施例２を再現した。これらの抗体を様々な濃度で添加した後、反応混合液を４時間２０分培養した。
【０１２１】
図４に示した結果から、ＣＤ１６ａ受容体に対するＩｇＧ２、ＩｇＧ３及びＩｇＧ４の親和性に関して知られていることが確認され、従って、本発明に係る方法が、参照抗体と他の抗体とを効果的に比較できるものであり、かつ、（本実施例ではＣＤ１６ａ受容体に対する）上記抗体の親和性の違いを可視化できるほど充分に感度が高いものであることが実証される。
【０１２２】
実施例４
今回は、同じサブクラスの各種抗体：ハーセプチン、ペルツズマブ及びマウス抗ＥＧＦＲ抗体（ＡＴＣＣ５２８）を非標識ＩｇＧ１抗体（競合抗体）の代わりに使用したことを除き、実施例２を再現した。
【０１２３】
図５に示した結果から、本発明に係る方法は、ＣＤ１６ａ受容体を使用して行った場合、ＣＤ１６ａと結合しないマウス抗体を他のヒトＩｇＧ１抗体と区別することができ、かつ、ＩｇＧ１クラスの複数の抗体の親和性の違いを測定できるほど充分に感度が高いことが確認される。
【０１２４】
実施例５
実施例１に記載の方法で作製した細胞を３７℃で解凍し、直ちにＰＢＳ１５ｍＬと混合した。得られた懸濁液を１２００ｒｐｍで５分間遠心分離し、上清を取り除いた。Ｔａｇ−ｌｉｔｅ（Ｒ）バッファに沈渣を再懸濁して、３８４ＬＶマルチウェルプレートの各ウェルにＨＥＫ−ＣＤ１６ａ−Ｔｂ細胞を１０μＬ未満、濃度１００００細胞／ウェルで分配可能な懸濁液を得た。
【０１２５】
各ウェルに５μＬ未満、最終濃度が１．５〜３００ｎＭとなるような各種濃度で標識ヒトＩｇＧ１抗体を添加した。
【０１２６】
また、細胞への標識抗体の非特異的固定の影響を測定するために、非標識ＩｇＧ１抗体を５μＬ未満、最終濃度３μＭで添加し、この容積をＴａｇ−ｌｉｔｅ（Ｒ）バッファで置換して全シグナルを得た。全シグナルから非特異的シグナルを引いて特異的シグナルを得る。
【０１２７】
３８４プレートから発せられるＦＲＥＴシグナルを様々な時間で測定したが、２０時間培養した後の結果を図６に示す。
【０１２８】
この実施例から、本発明に係る方法を用いて、バックグラウンドノイズを大幅に減少させて生細胞上のＩｇＧ１−ＣＤ１６ａ複合体の解離定数を求めることができることが分かる。
【０１２９】
実施例６：フコシル化
今回は、フコース残基を除去する処理を施した各種抗体（４％脱フコシル化したＡｂ１、８％脱フコシル化したＡｂ２、５７％脱フコシル化したＡｂ３、１１％脱フコシル化したＡｂ４、８０％脱フコシル化したＡｂ５）を非標識ＩｇＧ１抗体の代わりに使用したことを除き、実施例２を再現した。
【０１３０】
これらの抗体を様々な濃度で添加した後、反応培地を３時間３０分培養し、プレートをＡｒｔｅｍｉｓ  １０１（Ｂｅｒｔｈｏｌｄ  ｔｅｃｈｎｏｌｏｇｉｅｓ）によってＨＴＲＦ（Ｒ）モードで読み取った。
【０１３１】
脱フコシル化は、ＣＤ１６ａ受容体に対する抗体の親和性を高める効果を有することが知られているが、この研究結果は図７から確認できる。また図７から、本発明によって、フコシル化の程度が既知の抗体を使用して得た結果から、所望の抗体のフコシル化の程度を比較的単純に評価することができることが分かる。また、この実施例から、本発明に係る方法は充分に感度が高く、様々な度合いで脱フコシル化された抗体の親和性の違いを測定できることも分かる。
【図１】
2014527179.tif 000009
【図２】
2014527179.tif 000010
【図３】
2014527179.tif 000011
【図４】
2014527179.tif 000012
【図５】
2014527179.tif 000013
【図６】
2014527179.tif 000014
【図７】
2014527179.tif 000015
【配列表】
2014527179000001.app
【国際調査報告】
2014527179.tif 000016
2014527179.tif 000017
2014527179.tif 000018
2014527179.tif 000019
2014527179.tif 000020
2014527179.tif 000021